【手続補正書】
【提出日】平成23年3月7日(2011.3.7)
【手続補正１】
【補正対象書類名】特許請求の範囲
【補正対象項目名】全文
【補正方法】変更
【補正の内容】
【特許請求の範囲】
【請求項１】
ノーマルＨＤ（ｎｏｒｍａｌ  Ｈａｒｄ  Ｄｉｓｋ）と不揮発性キャッシュとを備えるＨＤＤ（Ｈａｒｄ  Ｄｉｓｋ  Ｄｒｉｖｅ）の動作モードをハイブリッドＨＤＤからノーマルＨＤＤに転換させる方法において、
パワーオン時にモード転換フラグがイネーブルか否かを判断するステップと、
前記モード転換フラグがイネーブルの場合に、前記ＨＤＤを前記ノーマルＨＤＤとして動作させるステップと、
前記モード転換フラグがディセーブルの場合に、前記ＨＤＤの動作モードがノーマルモードであるか、またはハイブリッドモードであるかを判断するステップと、
前記ＨＤＤの動作モードが前記ノーマルモードである場合に、前記ＨＤＤを前記ノーマルＨＤＤとして動作させるステップと、
前記ＨＤＤの動作モードが前記ハイブリッドモードである場合に、前記不揮発性キャッシュの欠陥ブロックの数が所定の限界値を超えるか否かを判断するステップと、
前記欠陥ブロックの数が前記限界値を超えていない場合に、前記ＨＤＤを前記ハイブリッドＨＤＤとして動作させるステップと、
前記欠陥ブロックの数が前記限界値を超えた場合に、前記モード転換フラグをイネーブルにさせ、前記ＨＤＤを前記ハイブリッドＨＤＤとして動作させるステップと、
を含む
ことを特徴とする、ＨＤＤの動作モードをハイブリッドＨＤＤからノーマルＨＤＤに転換させる方法。
【請求項２】
前記不揮発性キャッシュは、前記欠陥ブロックを代替するためのスペアブロックを備えており、
前記限界値は、前記スペアブロックの総数を考慮して設定される
ことを特徴とする、請求項１に記載のＨＤＤの動作モードをハイブリッドＨＤＤからノーマルＨＤＤに転換させる方法。
【請求項３】
ノーマルＨＤ（ｎｏｒｍａｌ  Ｈａｒｄ  Ｄｉｓｋ）と不揮発性キャッシュとを備えるＨＤＤ（Ｈａｒｄ  Ｄｉｓｋ  Ｄｒｉｖｅ）の動作モードをハイブリッドＨＤＤからノーマルＨＤＤに転換させる方法において、
Ｎ番目のパワーオン時にモード転換フラグがディセーブルにされており、前記ＨＤＤの動作モードがハイブリッドモードであり、前記不揮発性キャッシュの欠陥ブロックの数が所定の限界値を超えていない場合に、前記ＨＤＤを前記ハイブリッドＨＤＤとして動作させた後、前記ＨＤＤを備えるシステムの電源がオフになるステップと、
Ｎ＋１番目のパワーオン時に前記モード転換フラグがディセーブルにされており、前記ＨＤＤの動作モードが前記ハイブリッドモードであり、前記欠陥ブロックの数が前記限界値を超えた場合に、前記モード転換フラグをイネーブルにさせ、前記ＨＤＤを前記ハイブリッドＨＤＤとして動作させた後、前記ＨＤＤを備えるシステムの電源がオフになるステップと、
Ｎ＋２番目のパワーオン時に、前記モード転換フラグがイネーブルにされている場合に、前記ハイブリッドモードをオフにし、前記ＨＤＤを前記ノーマルＨＤＤとして動作させるステップと、
を含む
ことを特徴とする、ＨＤＤの動作モードをハイブリッドＨＤＤからノーマルＨＤＤに転換させる方法。
【請求項４】
前記ハイブリッドモードをオフにし、前記ＨＤＤを前記ノーマルＨＤＤとして動作させるステップは、
前記不揮発性キャッシュに保存されたデータを前記ノーマルＨＤに移して保存するステップと、
前記ハイブリッドモードをオフにするステップと、
前記モード転換フラグをディセーブルにさせるステップと、
前記ＨＤＤを前記ノーマルＨＤＤとして動作させるステップと、
を含む
ことを特徴とする、請求項３に記載のＨＤＤの動作モードをハイブリッドＨＤＤからノーマルＨＤＤに転換させる方法。
【請求項５】
ノーマルＨＤ（ｎｏｒｍａｌ  Ｈａｒｄ  Ｄｉｓｋ）と不揮発性キャッシュとを備えるＨＤＤ（Ｈａｒｄ  Ｄｉｓｋ  Ｄｒｉｖｅ）の動作モードをハイブリッドＨＤＤからノーマルＨＤＤに転換させる方法において、
Ｎ番目のパワーオン時にモード転換フラグがディセーブルにされており、前記ＨＤＤの動作モードがハイブリッドモードであり、前記不揮発性キャッシュの欠陥ブロックの数が所定の限界値を超えていない場合に、前記ＨＤＤを前記ハイブリッドＨＤＤとして動作させるステップと、
前記欠陥ブロックの数が前記限界値を超えるか否かを再び判断し、前記欠陥ブロックの数が前記限界値を超えた場合に、前記モード転換フラグをイネーブルにさせ、前記ＨＤＤを前記ハイブリッドＨＤＤとして動作させた後、前記ＨＤＤを備えるシステムの電源がオフになるステップと、
Ｎ＋１番目のパワーオン時に、前記モード転換フラグがイネーブルの場合に、前記ハイブリッドモードをオフにし、前記ＨＤＤを前記ノーマルＨＤＤとして動作させるステップと、
を含む
ことを特徴とする、ＨＤＤの動作モードをハイブリッドＨＤＤからノーマルＨＤＤに転換させる方法。
【請求項６】
前記ハイブリッドモードをオフにし、前記ＨＤＤを前記ノーマルＨＤＤとして動作させるステップは、
前記不揮発性キャッシュに保存されたデータを前記ノーマルＨＤに移して保存するステップと、
前記ハイブリッドモードをオフにするステップと、
前記モード転換フラグをディセーブルにさせるステップと、
前記ＨＤＤを前記ノーマルＨＤＤとして動作させるステップと、
を含む
ことを特徴とする、請求項５に記載のＨＤＤの動作モードをハイブリッドＨＤＤからノーマルＨＤＤに転換させる方法。
【請求項７】
前記ＨＤＤを前記ノーマルＨＤＤに動作させるステップの後に、前記ＨＤＤを備えるシステムの電源がオフになるステップと、
Ｎ＋２番目のパワーオン時に前記モード転換フラグがディセーブルされており、前記ＨＤＤの動作モードがノーマルモードである場合に、前記ＨＤＤを前記ノーマルＨＤＤとして動作させるステップと、
を含む
ことを特徴とする、請求項６に記載のＨＤＤの動作モードをハイブリッドＨＤＤからノーマルＨＤＤに転換させる方法。
【請求項８】
ノーマルＨＤ（ｎｏｒｍａｌ  Ｈａｒｄ  Ｄｉｓｋ）と不揮発性キャッシュとを備えるＨＤＤ（Ｈａｒｄ  Ｄｉｓｋ  Ｄｒｉｖｅ）をハイブリッドＨＤＤからノーマルＨＤＤに転換させる方法において、
パワーオン時にモード転換フラグがイネーブルか否かを判断するステップと、
前記モード転換フラグがイネーブルの場合に、前記ＨＤＤを前記ノーマルＨＤＤとして動作させるステップと、
前記モード転換フラグがディセーブルの場合に、前記不揮発性キャッシュの欠陥ブロックの数が所定の限界値を超えるか否かを判断するステップと、
前記欠陥ブロックの数が前記限界値を超えていない場合に、前記ＨＤＤを前記ハイブリッドＨＤＤとして動作させるステップと、
前記欠陥ブロックの数が前記限界値を超えた場合に、前記モード転換フラグをイネーブルにさせ、前記ＨＤＤを前記ハイブリッドＨＤＤとして動作させるステップと、
を含む
ことを特徴とする、ＨＤＤの動作モードをハイブリッドＨＤＤからノーマルＨＤＤに転換させる方法。
【請求項９】
ノーマルＨＤ（ｎｏｒｍａｌ  Ｈａｒｄ  Ｄｉｓｋ）と不揮発性キャッシュとを備えるＨＤＤ（Ｈａｒｄ  Ｄｉｓｋ  Ｄｒｉｖｅ）の動作モードをハイブリッドＨＤＤからノーマルＨＤＤに転換させる方法において、
Ｎ番目のパワーオン時にモード転換フラグがディセーブルにされており、前記不揮発性キャッシュの欠陥ブロックの数が所定の限界値を超えていない場合に、前記ＨＤＤを前記ハイブリッドＨＤＤとして動作させた後、前記ＨＤＤを備えるシステムの電源がオフになるステップと、
Ｎ＋１番目のパワーオン時に前記モード転換フラグがディセーブルにされており、前記欠陥ブロックの数が前記限界値を超えた場合に、前記モード転換フラグをイネーブルにさせ、前記ＨＤＤを前記ハイブリッドＨＤＤとして動作させた後、前記ＨＤＤを備えるシステムの電源がオフになるステップと、
Ｎ＋２番目のパワーオン時に前記モード転換フラグがイネーブルにされており、ハイブリッドモードがオフになっていない場合に、前記ハイブリッドモードをオフにし、前記ＨＤＤを前記ノーマルＨＤＤとして動作させるステップと、
を含む
ことを特徴とする、ＨＤＤの動作モードをハイブリッドＨＤＤからノーマルＨＤＤに転換させる方法。
【請求項１０】
Ｎ＋３番目のパワーオン時に前記モード転換フラグがイネーブルにされており、前記ハイブリッドモードがオフになった場合に、前記ＨＤＤを前記ノーマルＨＤＤとして動作させるステップを含む
ことを特徴とする、請求項９に記載のＨＤＤの動作モードをハイブリッドＨＤＤからノーマルＨＤＤに転換させる方法。
【請求項１１】
ノーマルＨＤ（ｎｏｒｍａｌ  Ｈａｒｄ  Ｄｉｓｋ）と不揮発性キャッシュとを備えるＨＤＤ（Ｈａｒｄ  Ｄｉｓｋ  Ｄｒｉｖｅ）の動作モードをハイブリッドＨＤＤからノーマルＨＤＤに転換させる方法において、
Ｎ番目のパワーオン時にモード転換フラグがディセーブルにされており、前記不揮発性キャッシュの欠陥ブロックの数が所定の限界値を超えていない場合に、前記ＨＤＤを前記ハイブリッドＨＤＤとして動作させるステップと、
前記欠陥ブロックの数が前記限界値を超えるか否かを再び判断し、前記欠陥ブロックの数が前記限界値を超えた場合に、前記モード転換フラグをイネーブルにさせ、前記ＨＤＤを前記ハイブリッドＨＤＤとして動作させた後、前記ＨＤＤを備えるシステムの電源がオフになるステップと、
Ｎ＋１番目のパワーオン時に前記モード転換フラグがイネーブルにされており、ハイブリッドモードがオフになっていない場合に、前記ハイブリッドモードをオフにし、前記ＨＤＤを前記ノーマルＨＤＤに動作させるステップと、
を含む
ことを特徴とする、ＨＤＤの動作モードをハイブリッドＨＤＤからノーマルＨＤＤに転換させる方法。